(57)【要約】【課題】ワイピング作動によってブレードに付着した異物を、異物除去部材によることなく洗浄液にて洗浄する。  【解決手段】ノズルヘッドをライン状に並べてなるインクジェット記録装置のラインヘッド２３のノズル面にブレード１３を当接させて移動することによりラインヘッドのノズル面をワイピングするようにしたインクジェット記録装置のラインヘッドワイピング装置において、ブレード１３をラインヘッド２３のノズル面に当接するワイピング姿勢と、ラインヘッドから離隔する待機姿勢とに移動可能にし、待機姿勢のブレードの先端に対向する位置に、この待機姿勢のブレードに向けて洗浄液を噴射するスプレーノズルを設けた。【選択図】図１
2005319654.tif 000002
【特許請求の範囲】
【請求項１】
ノズルヘッドをライン状に並べてなるインクジェット記録装置のラインヘッドのノズル面にブレードを当接させて移動することによりラインヘッドのノズル面をワイピングするようにしたインクジェット記録装置のラインヘッドワイピング装置において、
ブレードをラインヘッドのノズル面に当接するワイピング姿勢と、ラインヘッドから離隔する待機姿勢とに移動可能にし、待機姿勢のブレードの先端に対向する位置に、この待機姿勢のブレードに向けて洗浄液を噴射するスプレーノズルを設けたことを特徴とするインクジェット記録装置のラインヘッドワイピング装置。
【請求項２】
スプレーノズルと共に、待機姿勢のブレードのワイピング面に当接する拭き取りロールを、回転可能に、かつブレードのワイピング面に対して接離可能に設けたことを特徴とする請求項１記載のインクジェット記録装置のラインヘッドワイピング装置。
【発明の詳細な説明】
【技術分野】
【０００１】
本発明は、個々に複数のインク吐出ノズルを有して印字面側の形状が短冊状になっているノズルヘッドを、並び方向に対して傾斜させてライン状に多数並べて配置してなるラインヘッドを備えたインクジェット記録装置のラインヘッドワイピング装置に関するものである。
【背景技術】
【０００２】
ラインヘッドを用いたインクジェット記録装置は、劣化したインクによるインク吐出ノズルの目詰まりや、インク吐出ノズルへの塵の侵入等によって印字品質の劣化を招き易く、ラインヘッドのノズル面をワイピング装置にてワイピングする必要がある。そしてこの種のワイピング装置としては、ブレードが用いられており、このブレードが上記ラインヘッドのノズル面に弾性変形しながら移動することによって、このラインヘッドのノズル面をワイピングするようにしている。
【０００３】
このとき、上記ブレードの先端にはラインヘッドのノズル面よりワイピングしたインク等の異物が付着する。これをそのままにしておくと、この異物が再びラインのヘッドノズル面に付着してしまうので、上記異物を定期的に除去する必要がある。
【０００４】
従来の上記ブレードからの異物を除去するための除去手段としては、ブレードの先端部を異物除去部材に当接させた状態で相対移動させて、ブレードに付着している上記異物を異物除去部材にこすり付けて除去するようにしている（例えば、特許文献１参照）。
【０００５】
【特許文献１】特開２００１−１０５６１２号公報
【発明の開示】
【発明が解決しようとする課題】
【０００６】
上記従来のワイピング装置では、ブレードに付着した異物を異物除去部材にこすり付けて除去するようになっているため、上記異物は異物除去部材に転移してこれに付着してしまい、この異物除去部材には、常時この異物が付着されており、これが振動等により落下して周囲に飛散して周囲を汚してしまうという問題があった。
【課題を解決するための手段】
【０００７】
本発明は上記した従来技術の課題を解決して、ワイピング作動によってブレードに付着した異物を、このブレードの周辺に留まることなく、すなわち異物が周囲に飛散する原因となる、異物除去部材を用いることなしに、ブレードから異物を完全に除去できるようにしたインクジェット記録装置のラインヘッドワイピング装置を提供しようとするもので、請求項１に係る発明の装置は、ノズルヘッドをライン状に並べてなるインクジェット記録装置のラインヘッドのノズル面にブレードを当接させて移動することによりラインヘッドのノズル面をワイピングするようにしたインクジェット記録装置のラインヘッドワイピング装置において、ブレードをラインヘッドのノズル面に当接するワイピング姿勢と、ラインヘッドから離隔する待機姿勢とに移動可能にし、待機姿勢のブレードの先端に対向する位置に、この待機姿勢のブレードに向けて洗浄液を噴射するスプレーノズルを設けた構成になっている。
【０００８】
そして上記構成のインクジェット記録装置のラインヘッドワイピング装置において、スプレーノズルと共に、待機姿勢のブレードのワイピング面に当接する拭き取りロールを、回転可能に、かつブレードのワイピング面に対して接離可能に設けた。
【発明の効果】
【０００９】
上記した請求項１に係る発明装置では、ラインヘッドをワイピングしてブレード付着したインク等の異物は、異物除去部材によることなく、これの待機姿勢の状態でスプレーノズルから噴射される洗浄液にて直接的に除去され、上記異物除去部材から異物が飛散することによるブレード周辺の汚れを防止できる。
【００１０】
また、請求項２に係る発明装置では、上記スプレーノズルによる洗浄の他に、拭き取りロールにてブレードのワイピング面を拭き取ることができ、洗浄液による洗浄後のブレードを清浄に保つことができて部品等の保守性が向上すると共に、製品の品質も良好に保持することができる。
【発明を実施するための最良の形態】
【００１１】
図１、図２は本発明に係るラインヘッドワイピング装置Ａを概略的に示す側面図と平面図であり、図中１は基台、２はこの基台１に対して垂直軸を中心にして旋回可能に載置される旋回台である。そしてこの旋回台２はボルト３にて基台１に対して任意の旋回姿勢で固定可能になっている。
【００１２】
図中４は旋回台２上に水平状に設けたサドル台であり、このサドル台４上には摺動台５が、サドル台４に設けた２本のレール６，６に案内されて水平方向に往復動可能に載置されている。この摺動台５はサドル台４に設けたロッドレスシリンダ７に連結されており、このロッドレスシリンダ７の作動にて往復動作するようになっている。
【００１３】
図中９は上記摺動台５の上面に載置されるブレード台であり、このブレード台９は、摺動台５の摺動方向と直交する方向の一方の端部において支持軸１０にて水平方向に揺動可能に支持されている。そしてこのブレード台９の他端部には固定ハンドル１１が設けてあり、この固定ハンドル１１は摺動台５の他端部に、上記支持軸１０を中心にして設けられた円弧状溝１２に係合していて、固定ハンドル１１を締め付けることにより、ブレード台９が上記円弧状溝１２の範囲内において任意の姿勢で固定できるようになっている。
【００１４】
図中１３はゴム材等可撓性を有する材料にて構成されたワイピング用のブレードであり、このブレード１３は所定の長さを有する板状になっていて、その幅方向の一側部に補強板１４が固着してある。そしてこの補強板１４の両端に一対の回動部材１５，１５が固着してあり、この両回動部材１５，１５の中間部が上記ブレード台９に設けた一対のブラケット１６，１６に回動自在に支持されている。また、この両回動部材１５，１５の他端がブレード台９に設けたシリンダ装置１７，１７のピストンロッド１８に連結されていて、このシリンダ装置１７，１７の伸縮動作により回動部材１５，１５が回動してブレード１３の先端が円弧状に上下動されて、ワイピング姿勢と待機姿勢になるようになっている。上記ブレード１３の下方にインク受け１９が設けてある。
【００１５】
基台１は床面に対してねじ軸２０とこれに螺合するナット部材２１からなるジャッキ装置２２を介して設置してあり、このジャッキ装置２２のナット部材２１を作動することにより装置全体が上下動され、これによりブレード１３の高さ方向の位置が調節できるようになっている。なおこのジャッキ装置２２は基台１を上下動する位置ではなく、旋回台２に対して摺動台５を上下動する位置に設けてもよく、要はブレード１３を支持するブレード台９を上下動可能である位置に設ける。またその構成も上記した構成に限るものではない。
【００１６】
上記構成のラインヘッドワイピング装置Ａはインクジェット記録装置の側方に設置され、このインクジェット記録装置のラインヘッド２３は、これの印字位置から印字方向（主走査方向）と直角方向のメンテナンス位置へ移動した状態で図２に示すようになり、これの下面がラインヘッドワイピング装置Ａの上方に位置されるようになっている。
【００１７】
上記ラインヘッド２３は、これを下方から見た形状が図３に示すようになっていて、短冊状のノズルヘッド２４が並び方向に対して所定の角度θ傾斜した姿勢で多数個並べて配列されている。そして上記ノズルヘッド２４には、これの長辺と略平行に多数のインク吐出ノズル（図示せず）が配置されている。
【００１８】
上記基台１の一側部で旋回台２と干渉しない位置に支持台２６が設けてあり、この支持台２６上にブレード洗浄装置２７が上記旋回台２の旋回中心に対して直角方向に移動可能に設けられている。
【００１９】
そしてこのブレード洗浄装置２７は、支持台２６にレール２６ａ，２６ａに案内されて摺動可能に支持された摺動台２８と、摺動台２８に立設された一対のブラケット２９，２９間にブレード１３側に向けて設けられた複数のスプレーノズル３０と、両ブラケット２９，２９に回動自在に支持された一対のアーム３１，３１の先端に回転自在に支持される不織布にて構成した拭き取りロール３２と、この拭き取りロール３２を支持するアーム３１，３１を回動する一対のシリンダ装置３３，３３と、上記拭き取りロール３２を回転するモータ３４、及び上記摺動台２８を支持台２６に対して移動するシリンダ装置３５とからなっている。
【００２０】
上記スプレーノズル３０と拭き取りロール３２は、上記ブレード１３の長さより少し長い長さを有しており、スプレーノズル３０は待機姿勢にあるブレード１３に向けて洗浄液を噴射するようになっている。
【００２１】
拭き取りロール３２は、これを支持しているアーム３１，３１をシリンダ装置３３にて回動することにより、待機姿勢にあるブレード１３のワイピング面に対して接離され、これがワイピング面に接触している状態でモータ３４を駆動することにより、上記ブレード１３のワイピング面に上記洗浄液による洗浄により付着した洗浄液が拭き取りロール３２にて拭き取り清掃されるようになっている。
【００２２】
上記のように構成されているラインヘッドワイピング装置Ａを用いたワイピング作動を以下に説明する。
【００２３】
図１、図２に示すように、インクジェット記録装置のラインヘッド２３を、これのメンテナンス位置に設置されたラインヘッドワイピング装置Ａの上方へ移動させる。この状態で旋回台２を旋回してブレード１３がラインヘッド２３のノズルヘッド２４の傾斜角θに対して直交する姿勢にして固定する。そしてこのとき摺動用のロッドレスシリンダ７の作動により摺動台５を待機位置に移動してこのブレード１３を上記ラインヘッド２３から外れる位置まで移動しておく。
【００２４】
ついで回動用のシリンダ装置１７，１７を伸長動してブレード１３を起立方向に回動し、これの先端を円弧状に上動させてワイピング姿勢にする。このときのブレード１３の先端がラインヘッド２３のノズルヘッド２４に干渉する高さになっているか確認する。このときのブレード１３の高さはジャッキ装置２２にて調整する。
【００２５】
この状態で往復動作用のロッドレスシリンダ７を作動して摺動台５をレール６，６に沿って、一方へ摺動させることにより、ブレード１３はラインヘッド２３のノズルヘッド２４の下面に当接してこれの先端が当接代分だけ撓みながら移動し、ノズルヘッド２４の下面がブレード１３にてワイピング（ふき取り）される。
【００２６】
このとき、ブレード１３の先端は上記したように撓みならがノズルヘッド２４に当接すること、及びブレード１３がノズルヘッド２４の傾斜方向に移動することにより、ブレード１３の先端部が図４に示すようにノズルヘッド間の隙間２４ａに少し入り込んだ状態で隙間に沿って移動する。これにより、ノズルヘッド２４の表面と共に、ノズルヘッド２４の相互間の隙間２４ａ内のインクもワイピングされる。
【００２７】
上記のワイピング作動の終了後は、シリンダ装置１７を短縮動作してブレード１３を伏動方向に回動し、これの先端を円弧状に下動させて待機姿勢にする。ついでロッドレスシリンダ７を逆方向へ作動して摺動台５を、ブレード１３がラインヘッド２３から外れる位置の待機位置まで移動させる。
【００２８】
待機位置でのブレード１３は、図１にて示すようにブレード洗浄装置２７側へ傾動して待機姿勢となっている。ついでシリンダ装置３５を伸長動作してブレード洗浄装置２７をブレード１３側へ移動する。このとき、拭き取りロール３２はシリンダ装置３３の伸長動により上昇させておく。これにより、図１に示すように、スプレーノズル３０はブレード１３の先端に対向する。
【００２９】
この状態でノズル３０より洗浄液を噴射させる。これにより、ブレード１３のワイピング面に付着しているインク等の異物が洗浄液により除去される。そしてこのときの異物が混入した排液はインク受け１９にて回収される。また、上記スプレーノズル３０から噴射される洗浄液を噴射させるエアー圧はエアーレギュレータにて適正に調整する。
【００３０】
ついで、上記スプレーノズル３０からの洗浄液の噴出を止めた状態で、拭き取りロール３２を下動して、これをブレード１３のワイピング面に接触させてモータ３４にて回転する。これによりブレード１３のワイピング面に付着した洗浄液が拭き取りロール３２にて拭き取られる。
【００３１】
上記一連の動作は各部材を作動させるシリンダ装置を制御装置を介して制御することにより自動的に行うことができる。
【００３２】
また、上記ブレード１３の洗浄はスプレーノズルによる洗浄のみでもよいが、その後の拭き取りロール３２によるインク及び洗浄液の拭き取りを行うことにより、良好なワイピングを行うことができる。さらに、洗浄液の噴射と拭き取りロール３２による拭き取りを繰り返すことでより良好な清浄が行える。
【図面の簡単な説明】
【００３３】
【図１】本発明に係る装置を示す一部破断正面図である。
【図２】上記装置の平面図である。
【図３】本発明に係る装置を適用しようとするインクジェット記録装置のラインヘッドを示す下面図である。
【図４】ラインワイピング装置におけるワイピング部のブレードの様子を示す説明図である。
【符号の説明】
【００３４】
Ａ…ラインヘッドワイピング装置、１…基台、２…旋回台、３…ボルト、４…サドル台、５…摺動台、６…レール、７…ロッドレスシリンダ、８，１８…ピストンロッド、９…ブレード台、１０…支持軸、１１…固定ハンドル、１２…円弧状溝、１３…ブレード、１４…補強板、１５…回動部材、１６…ブラケット、１７…シリンダ装置、１９…インク受け、２０…ねじ軸、２１…ナット、２２…ジャッキ装置、２３…ラインヘッド、２４…ノズルヘッド、２４ａ…隙間、２６…支持台、２７…ブレード洗浄装置、２８…移動台、２９…ブラケット、３０…スプレーノズル、３１…アーム、３２…拭き取りロール、３３，３５…シリンダ装置、３４…モータ。
【図１】
2005319654.tif 000003
【図２】
2005319654.tif 000004
【図３】
2005319654.tif 000005
【図４】
2005319654.tif 000006